(57)【要約】【課題】エレベータの効率的な運転を可能とする。【解決手段】管理室親機７の操作部４１の操作により設定される人の出入りの多い朝の出勤時間帯や新聞および牛乳等の配達人がエレベータ８を使用する配達時間帯等の時間帯以外の時間帯には、これを検出した制御機１０の制御回路５０によりエレベータ制御盤９が制御され、居室親機４ａ、４ｂ、・・・や集合玄関機１にて行われる電気錠２の解錠操作に連動して集合玄関の階へとエレベータを（自動的に）着床させることができる。一方、管理室親機の操作部の操作により設定された時間帯には、居室親機や集合玄関機にて行われる電気錠の解錠操作に連動することなく、呼出階へとエレベータを（制御機の制御によらず）着床させることができる。【選択図】  図１
2004292099.tif 000002
【特許請求の範囲】
【請求項１】
集合玄関に設置される集合玄関機（１）および電気錠（２）と、各住戸内に設置される複数の居室親機（４ａ、４ｂ、・・・）と、管理室内に設置される管理室親機（７）と、居住者または来訪者により利用されるエレベータ（８）を制御するためのエレベータ制御盤（９）と、前記集合玄関機、前記居室親機、前記管理室親機、前記エレベータ制御盤をそれぞれ制御するための制御機（１０）とから構成され、
前記制御機は、人の出入りの多い朝の出勤時間帯、新聞および牛乳等の配達人が前記エレベータを使用する配達時間帯等の時間帯が設定され、前記設定された時間帯以外の時間帯には、前記居室親機や前記集合玄関機にて行われる前記電気錠の解錠操作に連動して前記エレベータが前記集合玄関へと着床するように前記エレベータ制御盤を制御し、前記時計にて設定された時間帯には、前記解錠操作に連動することなく前記エレベータが呼出階へと着床するように前記エレベータ制御盤を制御するための制御回路（５０）を備えたことを特徴とする集合住宅インターホンシステム。
【請求項２】
前記管理室親機は、前記時間帯の設定を行うための操作部（４１）を備えたことを特徴とする請求項１記載の集合住宅インターホンシステム。
【請求項３】
前記居室親機にトイレコール、バスコール等の緊急時に操作される緊急ボタン（５ａ、５ｂ、・・・）を接続し、前記制御回路は、前記緊急ボタンが操作されたとき、前記エレベータが他の呼出階に優先して前記緊急ボタンの操作により指定された呼出階、前記集合玄関の階または前記管理室の階へと着床するように前記エレベータ制御盤を制御するものであることを特徴とする請求項１または請求項２記載の集合住宅インターホンシステム。
【請求項４】
前記居室親機に火災、ガス漏れ等の非常時に操作される非常ボタン（６ａ、６ｂ、・・・）を接続し、前記制御回路は、前記非常ボタンが操作されたとき、前記エレベータが他の呼出階に優先して前記集合玄関へと着床するように前記エレベータ制御盤を制御し、前記集合玄関の外に設置されている非常解錠ボタン（３）が操作されたとき、前記集合玄関の前記電気錠を解錠させて前記エレベータを操作部（８ａ）の操作により指定された階へと着床するように前記エレベータ制御盤を制御するものであることを特徴とする請求項１乃至請求項３のうち何れか１項記載の集合住宅インターホンシステム。
【発明の詳細な説明】
【０００１】
【発明の属する技術分野】
本発明は集合住宅インターホンシステムに係り、特に、エレベータの効率的な運転を可能とした集合住宅インターホンシステムに関する。
【０００２】
【従来の技術】
従来から、この種の集合住宅インターホンシステムとして、居室親機または集合玄関機にて解錠操作が行われたとき、エレベータを集合玄関のフロア（階）へと呼び出して停止（着床）させることにより、エレベータの乗客がエレベータ内の操作部でフロア指定を行うことなく目的のフロアへと到達できるばかりでなく、エレベータ内の操作部にて行われるフロア指定ではエレベータを停止させることができないフロアを制御機の設定部にて設定したとき、特定の暗証番号による解錠操作をしたときのみエレベータを停止させることができる集合住宅インターホンシステムが開示されている（例えば、特許文献１）。
【０００３】
【特許文献１】特開平１１−２２５２１２号公報（段落番号００１１等）
【発明が解決しようとする課題】
しかしながら、従来例の集合住宅インターホンシステムでは、人の出入りの多い朝の出勤時間帯や新聞および牛乳等の配達人がエレベータを使用する配達時間帯等の時間帯において、居室親機からの呼出信号が伝送されてくる順序をもとにエレベータを忠実に運転していては当該エレベータの運送効率が低くなり効率的な運転が不可能となるばかりでなく、非常時や緊急時において同様な運転が行われると、救急や消防等の従事者が迅速に対応できない難点があった。
【０００４】
本発明は、上述の難点を解消するためになされたもので、時間帯に応じてエレベータの運転を制御機との連動または非連動に切り替えるとともに、緊急時や非常時において効率的な運転を可能とした集合住宅インターホンシステムを提供することを目的としている。
【０００５】
【課題を解決するための手段】
上述の目的を達成するため、本発明の集合住宅インターホンシステムは、集合玄関に設置される集合玄関機および電気錠と、各住戸内に設置される複数の居室親機と、管理室内に設置される管理室親機と、居住者または来訪者により利用されるエレベータを制御するためのエレベータ制御盤と、集合玄関機、居室親機、管理室親機、エレベータ制御盤を制御するための制御機とから構成されている。制御機は、人の出入りの多い朝の出勤時間帯、新聞および牛乳等の配達人がエレベータを使用する配達時間帯等の時間帯が設定され、設定された時間帯以外の時間帯には、居室親機や集合玄関機にて行われる電気錠の解錠操作に連動してエレベータが集合玄関へと着床するようにエレベータ制御盤を制御し、時計にて設定された時間帯には、解錠操作に連動することなくエレベータが呼出階へと着床するようにエレベータ制御盤を制御するための制御回路を備えている。
【０００６】
また、本発明の集合住宅インターホンシステムにおいて、管理室親機は、時間帯の設定を行うための操作部を備えている。
【０００７】
このような集合住宅インターホンシステムによれば、管理室親機の操作部の操作により設定される人の出入りの多い朝の出勤時間帯や新聞および牛乳等の配達人がエレベータを使用する配達時間帯等の時間帯以外の時間帯には、これを検出した制御機の制御回路によりエレベータ制御盤が制御され、居室親機や集合玄関機にて行われる電気錠の解錠操作に連動して集合玄関の階へとエレベータを（自動的に）着床させることができる。一方、管理室親機の操作部の操作により設定された時間帯には、居室親機や集合玄関機にて行われる電気錠の解錠操作に連動することなく、呼出階へとエレベータを（制御機の制御によらず）着床させることができる。
【０００８】
また、本発明の集合住宅インターホンシステムは、居室親機にトイレコール、バスコール等の緊急時に操作される緊急ボタンを接続し、制御回路は、緊急ボタンが操作されたとき、エレベータが他の呼出階に優先して緊急ボタンの操作により指定された呼出階、集合玄関の階または管理室の階へと着床するようにエレベータ制御盤を制御するものである。
【０００９】
このような集合住宅インターホンシステムによれば、緊急ボタンが操作されるトイレコール、バスコール等の緊急時には、これを検出した制御機の制御回路によりエレベータ制御盤が制御され、他の呼出階に優先して緊急ボタンの操作により指定された呼出階、集合玄関の階または管理室の階へとエレベータを（自動的に）着床させることができる。
【００１０】
また、本発明の集合住宅インターホンシステムは、居室親機に火災、ガス漏れ等の非常時に操作される非常ボタンを接続し、制御回路は、非常ボタンが操作されたとき、エレベータが他の呼出階に優先して集合玄関へと着床するように前記エレベータ制御盤を制御し、集合玄関の外に設置されている非常解錠ボタンが操作されたとき、集合玄関の電気錠を解錠させてエレベータを操作部の操作により指定された階へと着床するようにエレベータ制御盤を制御するものである。
【００１１】
このような集合住宅インターホンシステムによれば、非常ボタンが操作される住戸内にて火災、ガス漏れ等が発生した非常時には、これを検出した制御機の制御回路によりエレベータ制御盤が制御され、集合玄関の階へとエレベータを（自動的に）着床させることができる。また、非常解錠ボタンを操作して集合玄関の電気錠を解錠させた後、集合玄関の階へと予め着床されているエレベータ内の操作部を用いて呼出階を指定すると、この手動操作を検出したエレベータ制御盤の制御により、エレベータの運転が開始され、所定の呼出階へと迅速に到達できる。
【００１２】
【発明の実施の形態】
以下、本発明の集合住宅インターホンシステムを適用した好ましい形態の実施例について、図面を参照して説明する。
【００１３】
図１は、本発明の実施例による集合住宅インターホンシステムの構成を示すブロック図である。
【００１４】
図１のブロック図に示す集合住宅インターホンシステムは、集合住宅の集合玄関に設置され、複数の階（フロア）毎の各住戸内に在室中の居住者のうち特定の住戸内に在室中の居住者、または管理室内に在室中の管理人を来訪者が呼び出して通話を行うための集合玄関機１と、集合玄関機１に接続され、集合玄関を施解錠するための電気錠２と、集合玄関機１に接続され、各住戸内にて例えば、火災、ガス漏れ等が発生した非常時において電気錠２を解錠させるために設置される非常解錠ボタン３と、集合住宅の各住戸内に設置され個別の部屋番号を有しており、集合玄関に居る来訪者からの呼び出しが報知され、これに応答した居住者が来訪者との間で通話を行うとともに、居住者が呼出元または呼出先である管理人との間で通話を行うばかりでなく、自住戸内にて発生した上述の非常時やトイレコール、バスコール等の緊急時の警報発報・表示および同一の警報エリアである近隣住戸の住戸内にて発生した非常時の警報発報・表示を行うための（複数の）居室親機４ａ、４ｂ、・・・と、居室親機４ａ、４ｂ、・・・にそれぞれ接続され、トイレコール、バスコール等の緊急時において居住者が操作する緊急ボタン５ａ、５ｂ、・・・と、居室親機４ａ、４ｂ、・・・にそれぞれ接続され、自住戸内にて火災、ガス漏れ等が発生した非常時において居住者が操作する非常ボタン６ａ、６ｂ、・・・と、集合住宅の管理室内に設置され個別の部屋番号をなす管理室番号を有しており、来訪者からの呼び出しが報知され、これに応答した管理人が来訪者との間で通話を行うとともに、呼出元または呼出先である居住者との間で通話を行うばかりでなく、各住戸内にて発生した緊急時／非常時の警報発報・表示を行うための管理室親機７と、居住者、管理人または来訪者により利用され、集合住宅内の複数の階を昇降するためのエレベータ８およびエレベータ８内に設けられ、当該エレベータを所定の階（呼出階）へと着床させるために操作する操作部８ａと、エレベータ８の運転を制御するためのエレベータ制御盤９と、玄関機ラインＬ１を介して接続された集合玄関機１、居室親機ラインＬ２を介してバス接続された居室親機４ａ、４ｂ、・・・、管理室親機ラインＬ３を介して接続された管理室親機７、制御盤ラインＬ４を介して接続されたエレベータ制御盤９をそれぞれ制御するための制御機１０とから構成されている。
【００１５】
また、集合玄関機１は、非常解錠ボタン３の操作（非常解錠操作）または制御機１０からの信号を検出して電気錠２の施解錠を制御するとともに、当該集合玄関機の構成各部をそれぞれ制御するための制御回路（以下、玄関機制御回路という。）２０と、集合玄関に居る来訪者が特定の住戸内に在室中の居住者、または管理室内に在室中の管理人を呼び出すために所定の呼出操作（詳述せず）を行うとともに、電気錠２を解錠させるために所定の解錠操作を行う操作部２１と、来訪者が居住者または管理人との間で通話を行うための音声を入出力する通話部２２と、操作部２１および非常解錠ボタン３の操作情報や電気錠２の施解錠情報等を表示するための表示部２３と、玄関機制御回路２０および電気錠２の間を接続して信号伝送路を形成するための通信回路（以下、電気錠側玄関機Ｉ／Ｆという。）２４と、玄関機制御回路２０および玄関機ラインＬ１の間を接続して信号伝送路を形成するための通信回路（以下、制御機側玄関機Ｉ／Ｆという。）２５とを備えている。
【００１６】
また、居室親機４ａ、４ｂ、・・・はそれぞれ同様な構成であり、緊急ボタン５ａ、５ｂ、・・・および非常ボタン６ａ、６ｂ、・・・の操作（緊急操作、非常操作）を検出するとともに、当該居室親機の構成各部をそれぞれ制御するための制御回路（以下、居室親機制御回路という。）３０と、各住戸内に在室中の居住者が集合玄関に居る来訪者、または管理室内に在室中の管理人からの呼び出しに応答するために所定の応答操作（詳述せず）を行うとともに、この居住者が管理人を呼び出すために所定の呼出操作（詳述せず）を行うばかりでなく、電気錠２を解錠させるために所定の解錠操作を行う操作部３１と、来訪者または管理人からの呼び出しがある旨を呼出音の出力をもとに報知し、これに応答した居住者が来訪者または管理人との間で通話を行うための音声を入出力するとともに、緊急時／非常時の警報情報を発報するための呼出通話部３２と、操作部３１、緊急ボタン５ａ、５ｂ、・・・および非常ボタン６ａ、６ｂ、・・・の操作情報や緊急時／非常時の警報情報等を表示するための表示部３３と、居室親機制御回路３０および居室親機ラインＬ２の間を接続して信号伝送路を形成するための通信回路（以下、居室親機Ｉ／Ｆという。）３４とを備えている。
【００１７】
また、管理室親機７は、当該管理室親機の構成各部をそれぞれ制御するための制御回路（以下、管理室親機制御回路という。）４０と、管理室内に在室中の管理人が集合玄関に居る来訪者、または特定の住戸内に在室中の居住者からの呼び出しに応答するために所定の呼出操作を行うとともに、この管理人が特定の居住者を呼び出す、または不特定の居住者を一斉に呼び出すために所定の呼出操作（詳述せず）を行うばかりでなく、電気錠２を解錠させるために所定の解錠操作を行い、併せて人の出入りの多い朝の出勤時間帯や新聞および牛乳等の配達人がエレベータ８を使用する配達時間帯等の時間帯の設定を行うための操作部４１と、来訪者または居住者からの呼び出しがある旨を呼出音の出力をもとに報知し、これに応答した管理人が来訪者または居住者との間で通話を行うための音声を入出力するとともに、緊急時／非常時の警報情報を発報するための呼出通話部４２と、操作部４１の操作情報や緊急時／非常時の警報情報等を表示するための表示部４３と、管理室親機制御回路４０および管理室親機ラインＬ３の間を接続して信号伝送路を形成するための通信回路（以下、管理室親機Ｉ／Ｆという。）４４とを備えている。
【００１８】
さらに、制御機１０は、当該制御機の構成各部をそれぞれ制御するための制御回路（以下、制御機制御回路という。）５０と、管理室親機７の操作部４１の操作により設定された人の出入りの多い朝の出勤時間帯や新聞および牛乳等の配達人がエレベータ８を使用する配達時間帯等の時間帯を計時するための時計５１と、エレベータ８を着床させないフロアを設定するための設定部５２と、制御機制御回路５０および玄関機ラインＬ１の間を接続して信号伝送路を形成するための通信回路（以下、玄関機側制御機Ｉ／Ｆという。）５３と、制御機制御回路５０および居室親機ラインＬ２の間を接続して信号伝送路を形成するための通信回路（以下、居室親機側制御機Ｉ／Ｆという。）５４と、制御機制御回路５０および管理室親機ラインＬ３の間を接続して信号伝送路を形成するための通信回路（以下、管理室親機側制御機Ｉ／Ｆという。）５５と、制御機制御回路５０および制御盤ラインＬ４の間を接続して信号伝送路を形成するための通信回路（以下、制御盤側制御機Ｉ／Ｆという。）５６とを備えている。
【００１９】
このように構成された本発明の実施例による集合住宅インターホンシステムにおいて、以下、具体的な動作について説明する。
【００２０】
なお、本発明の実施例において、集合玄関に居る来訪者が複数の階（フロア）毎の各住戸内に在室中の居住者のうち特定の住戸内に在室中の居住者、または管理室内に在室中の管理人を呼び出して通話を行うための動作や、居住者が管理人を呼び出して通話を行うための動作や、管理人が特定または不特定の居住者を呼び出し（一斉呼び出し）て通話を行うための動作は、従来例の該当動作と同様であることから説明は省略する。
【００２１】
図１のブロック図において、管理室内に在室中の管理人は、管理室親機７の操作部４１を操作して人の出入りの多い朝の出勤時間帯や新聞および牛乳等の配達人がエレベータ８を使用する配達時間帯等の時間帯（以下、この時間帯を時間帯Ｔとする。）を設定することができる。ここで、管理室親機７の操作部４１の操作により設定された時間帯Ｔの情報信号は、管理室親機制御回路４０から管理室親機Ｉ／Ｆ４４、管理室親機ラインＬ３、制御機１０の管理室親機側制御機Ｉ／Ｆ５５を介して制御機制御回路５０へと伝送され、これを検出した制御機制御回路５０の制御により時計５１にて計時される時間帯が時間帯Ｔとして設定することができる。また、制御機１０の時計５１にて計時される時間帯Ｔは、管理人による上述の設定操作をもとに適宜、変更することもできる。
【００２２】
次に、制御機１０の時計５１にて設定されている時間帯Ｔ以外の時間帯において、集合玄関に居る来訪者が集合玄関機１の操作部２１を用いて所定の呼出操作を行い、複数の階（フロア）毎の各住戸内に在室中の居住者および管理室内に在室中の管理人のうち、例えば、居室親機４ａが設置されている住戸内に在室中の居住者に対して呼び出しを行った場合、居室親機４ａの呼出通話部３２からの呼出音の出力や表示部３３への呼出表示をもとに当該呼び出しを確認した在室中の居住者が応答して呼出通話部３２と来訪者が使用する集合玄関機１の通話部２２との間で通話を成立させた後（詳述せず）、集合玄関の電気錠２を解錠して呼出元の来訪者を集合住宅内へと入館させるために操作部３１を用いて所定の解錠操作を行うと、この解錠操作を検出した居室親機制御回路３０は、自居室親機に割り当てられている部屋番号および電気錠２を解錠させるための制御情報を含む解錠信号を居室親機Ｉ／Ｆ３４へと出力する。この解錠信号は、居室親機Ｉ／Ｆ３４、居室親機ラインＬ２、制御機１０の居室親機側制御機Ｉ／Ｆ５４を介して制御機制御回路５０へと伝送されるとともに、居室親機Ｉ／Ｆ３４、居室親機ラインＬ２、居室親機４ａを除く他の居室親機４ｂ、・・・の居室親機側Ｉ／Ｆ３４を介して居室親機制御回路３０へとそれぞれ伝送される。
【００２３】
なお、居室親機４ａを除く他の居室親機４ｂ、・・・の居室親機制御回路３０は、伝送されてきた解錠信号が制御機１０からの出力信号でないことにより、当該解錠信号を無効であると判断する。
【００２４】
また、制御機１０の制御機制御回路５０は、伝送されてきた解錠信号に含まれている部屋番号および制御情報をもとに、居室親機４ａが設置されている住戸内に在室中の居住者からの解錠操作を検出し、エレベータ８を集合玄関の階へと着床させるための制御信号を制御盤側制御機Ｉ／Ｆ５６、制御盤ラインＬ４を介してエレベータ制御盤９へと出力するとともに、居室親機４ａからの解錠信号を集合玄関機側制御機Ｉ／Ｆ５３、集合玄関機ラインＬ１、集合玄関機１の制御機側玄関機Ｉ／Ｆ２５を介して集合玄関機制御回路２０へと出力する。
【００２５】
また、エレベータ制御盤９は、制御機１０からの制御信号をもとに、エレベータ８の運転を制御して集合玄関の階へと（自動的に）着床させることができる。
【００２６】
さらに、集合玄関機１の集合玄関機制御回路２０は、伝送されてきた解錠信号をもとに、（呼出先である）居室親機４ａが設置されている住戸内に在室中の居住者からの解錠操作を検出し、電気錠２を解錠させるための解錠制御信号を電気錠側玄関機Ｉ／Ｆ２４を介して当該電気錠へと出力することにより、集合玄関に居る来訪者は、電気錠２が解錠された集合玄関を介して集合住宅内へと入館することができ、この後、集合玄関の階へと予め着床されているエレベータ８内の操作部８ａを操作して呼出先の居住者の住戸の階（呼出階）を指定すると、この手動操作を検出したエレベータ制御盤９の制御により当該エレベータの運転が開始され、所定の呼出階へと迅速に到達できる。
【００２７】
なお、上述の説明では、集合玄関の電気錠２を解錠させるための解錠操作を、呼出先の住戸内に設置されている居室親機４ａの操作部３１を用いて行った場合について説明したが、これに限定されず、集合玄関に居る居住者、すなわち、所定の解錠操作を知り得る居住者が集合玄関機１の操作部２１を用いて解錠操作を行なった場合や、同様に所定の解錠操作を知り得る管理室内に在室中の管理人が管理室親機７の操作部４１を用いて解錠操作を行なった場合でも、これらの解錠操作を検出した制御機１０の制御機制御回路５０によりエレベータ制御盤９が制御され、エレベータ８を集合玄関の階へと（自動的に）着床させることができるばかりでなく、電気錠２を解錠させることができる。
【００２８】
次に、制御機１０の時計５１にて設定されている時間帯Ｔにおいて、この時間帯Ｔを検出した制御機制御回路５０は、エレベータ８の運転を手動制御で行うための制御信号を制御盤側制御機Ｉ／Ｆ５６、制御盤ラインＬ４を介してエレベータ制御盤９へと出力することにより、この制御信号を検出したエレベータ制御盤９は、上述の解錠操作、すなわち、居室親機４ａ、４ｂ、・・・の操作部３１にて行われる所定の解錠操作、集合玄関機１の操作部２１にて行われる所定の解錠操作、管理室親機７の操作部４１にて行われる解錠操作にそれぞれ連動することなく、エレベータ８を呼出階へと（制御機１０の制御によらず）着床させることができる。
【００２９】
次に、制御機１０の時計５１にて設定されている時間帯Ｔおよび時間帯Ｔ以外の時間帯を問わずして、複数の階（フロア）毎の各住戸内に在室中の居住者のうち特定の住戸内に在室中の居住者、ここでは、居室親機４ａが住戸内に設置されている在室中の居住者がトイレコール、バスコール等を行うために緊急ボタン５ａを操作すると、この緊急操作を検出した居室親機４ａの居室親機制御回路３０は、自住戸内に在室中の居住者が緊急事態である旨を呼出通話部３２からの警報音の発報や表示部３３にて警報表示するとともに、自居室親機に割り当てられている部屋番号および緊急事態である旨の警報情報を含む緊急警報信号を居室親機Ｉ／Ｆ３４へと出力する。この緊急警報信号は、上述の解錠信号と同様な経路を介して制御機１０の制御機制御回路５０と居室親機４ａを除く他の居室親機４ｂ、・・・の居室親機回路３０へとそれぞれ伝送される。
【００３０】
なお、居室親機４ａを除く他の居室親機４ｂ、・・・の居室親機制御回路３０は、伝送されてきた緊急警報信号が制御機１０からの出力信号でないことにより、当該緊急警報信号を無効であると判断する。
【００３１】
また、制御機１０の制御機制御回路５０は、伝送されてきた緊急警報信号に含まれている部屋番号および警報情報をもとに、居室親機４ａが設置されている住戸内に在室中の居住者からのトイレコール、バスコール等があることを検出し、エレベータ８を管理室の階へと着床させるための制御信号を制御盤側制御機Ｉ／Ｆ５６、制御盤ラインＬ４を介してエレベータ制御盤９へと出力するとともに、上述の部屋番号、警報情報および管理室親機７に割り当てられている管理室番号を含む緊急警報移報信号を管理室親機側制御機Ｉ／Ｆ５５へと出力する。この緊急警報移報信号は、管理室親機側制御機Ｉ／Ｆ５５、管理室親機ラインＬ３、管理室親機３の制御側管理室親機Ｉ／Ｆ４４を介して管理室親機制御回路４０へと伝送される。
【００３２】
また、エレベータ制御盤９は、制御機１０からの制御信号をもとに、エレベータ８の運転を制御して管理室の階へと（自動的に）着床させることができる。
【００３３】
また、管理室親機７の管理室親機制御回路４０は、制御機１０からの緊急警報移報信号に含まれている部屋番号、警報情報および管理室番号のうち管理室番号が自管理室親機に割り当てられている部屋番号と一致して、居室親機４ａが設置されている住戸内に在室中の居住者からのトイレコール、バスコール等があることを検出し、緊急事態である旨を呼出通話部４２からの警報音の発報や表示部４３にて警報表示することができる。
【００３４】
さらに、上述の警報発報・表示を確認した管理人は、管理室の階へと予め着床されているエレベータ８内の操作部８ａを操作して緊急警報元の居住者の住戸の階（呼出階）を指定すると、この手動操作を検出したエレベータ制御盤９の制御により当該エレベータの運転が開始され、所定の呼出階へと迅速に到達できる。
【００３５】
次に、制御機１０の時計５１にて設定されている時間帯Ｔおよび時間帯Ｔ以外の時間帯を問わずして、複数の階（フロア）毎の各住戸内のうち特定の住戸内、ここでは、居室親機４ａが設置されている住戸内にて火災、ガス漏れ等が発生し、これを確認した在室中の居住者が非常ボタン６ａを操作すると、この非常操作を検出した居室親機４ａの居室親機制御回路３０は、自住戸内が非常事態である旨を呼出通話部３２からの警報音の発報や表示部３３にて警報表示するとともに、自居室親機に割り当てられている部屋番号および非常事態である旨の警報情報を含む非常警報信号を居室親機Ｉ／Ｆ３４へと出力する。この非常警報信号は、上述の解錠信号および緊急警報信号と同様な経路を介して制御機１０の制御機制御回路５０と居室親機４ａを除く他の居室親機４ｂ、・・・の居室親機回路３０へとそれぞれ伝送される。
【００３６】
また、非常ボタン６ａの操作（緊急操作）を検出した居室親機４ａの居室親機制御回路３０は、適宜な外線手段（詳述せず）を利用して救助、消防等の従事者へと緊急連絡を行うことができる。
【００３７】
なお、居室親機４ａを除く他の居室親機４ｂ、・・・の居室親機制御回路３０は、伝送されてきた非常警報信号が制御機１０からの出力信号でないことにより、当該非常警報信号を無効であると判断する。
【００３８】
また、制御機１０の制御機制御回路５０は、伝送されてきた非常警報信号に含まれている部屋番号および警報情報をもとに、居室親機４ａが設置されている住戸内にて火災、ガス漏れ等が発生した非常事態であること検出し、エレベータ８を集合玄関の階へと着床させるための制御信号を制御盤側制御機Ｉ／Ｆ５６、制御盤ラインＬ４を介してエレベータ制御盤９へと出力するとともに、上述の部屋番号、警報情報および居室親機４ａが設置されている住戸と同一の警報エリアである近隣住戸に割り当てられた部屋番号（以下、近隣住戸部屋番号という。）を含む非常警報移報信号（以下、第１の非常警報移報信号という。）を居室親機側制御機Ｉ／Ｆ５４へと出力するばかりでなく、上述の部屋番号、警報情報および管理室親機７に割り当てられている管理室番号を含む非常警報移報信号（以下、第２の非常警報移報信号という。）を管理室親機側制御機Ｉ／Ｆ５５へと出力する。これら第１、第２の各非常警報移報信号のうち第１の非常警報移報信号は、居室親機側制御機Ｉ／Ｆ５４から居室親機ラインＬ２、（全ての）居室親機４ａ、４ｂ、・・・の居室親機Ｉ／Ｆ３４を介して居室親機制御回路３０へとそれぞれ伝送され、第２の非常警報移報信号は、上述の緊急警報移報信号と同様な経路を介して管理室親機７の管理室親機制御回路４０へと伝送される。
【００３９】
また、エレベータ制御盤９は、制御機１０からの制御信号をもとに、エレベータ８の運転を制御して集合玄関の階へと（自動的に）着床させることができる。
【００４０】
また、居室親機４ａ、４ｂ、・・・の居室親機制御回路３０は、伝送されてきた第１の非常警報移報信号に含まれている部屋番号、警報情報および近隣住戸部屋番号のうち近隣住戸部屋番号と自居室親機に割り当てられている部屋番号と照合し、一致した場合にのみ同一の警報エリアの近隣住戸内にて火災、ガス漏れ等が発生した非常事態である旨を呼出通話部３２からの警報音の発報や表示部３３にて警報表示することができる。ここでは、居室親機４ａが設置されている住戸の両隣の住戸内や直上階／直下階の住戸内に設置されている当該居室親機において上述の警報発報・表示が行われる。
【００４１】
また、管理室親機７の管理室親機制御回路４０は、第２の非常警報移報信号に含まれている部屋番号、警報情報および管理室番号のうち管理室番号が自管理室親機に割り当てられている部屋番号と一致して、居室親機４ａが設置されている住戸内にて火災、ガス漏れ等が発生した非常事態であることを検出し、非常事態である旨を呼出通話部４２からの警報音の発報や表示部４３にて警報表示することができる。
【００４２】
さらに、居室親機４ａからの緊急連絡を受けて集合住宅へと駆けつけた救急、消防等の従事者が非常解錠ボタン３を操作すると、この非常解錠操作を検出した集合玄関機１の玄関機制御回路１０は、電気錠２を解錠させるための解錠制御信号を電気錠側玄関機Ｉ／Ｆ２４を介して当該電気錠へと出力することにより、救急、消防等の従事者は、電気錠２が解錠された集合玄関を介して集合住宅内へと入館することができ、この後、集合玄関の階へと予め着床されているエレベータ８内の操作部８ａを操作して非常警報元の住戸の階（呼出階）を指定すると、この手動操作を検出したエレベータ制御盤９の制御により当該エレベータの運転が開始され、所定の呼出階へと迅速に到達できる。
【００４３】
なお、上述の実施例では、緊急ボタン５ａが操作（緊急操作）された場合にエレベータ８を着床させる階を、警報発報・表示先である管理室親機７が設置されている管理室の階として説明したが、これに限定されず、緊急警報元の居住者の住戸の階（呼出階）へとエレベータ８を（自動的に）着床させることにより、緊急ボタン５ａを操作（緊急操作）した居住者の同居者は、緊急警報元と同一の階へと予め着床されているエレベータ８内の操作部８ａを操作して所定の呼出階へと迅速に到達できるばかりでなく、上述の非常ボタン６ａの操作（緊急操作）時と同様、救急、消防等の従事者への緊急連絡が行われた場合においてエレベータ８を集合玄関の階へと（自動的に）着床させることにより、電気錠２が解錠された集合玄関を介して集合住宅内へと入館した救急、消防等の従事者は、集合玄関の階へと予め着床されているエレベータ８内の操作部８ａを操作して所定の呼出階へと迅速に到達できる。
【００４４】
【発明の効果】
以上の説明から明らかなように、本発明の集合住宅インターホンシステムによれば、管理室親機の操作部の操作により設定される人の出入りの多い朝の出勤時間帯や新聞および牛乳等の配達人がエレベータを使用する配達時間帯等の時間帯以外の時間帯には、居室親機や集合玄関機にて行われる電気錠の解錠操作に連動して集合玄関の階へとエレベータを（自動的に）着床させることができる。一方、管理室親機の操作部の操作により設定された時間帯には、居室親機や集合玄関機にて行われる電気錠の解錠操作に連動することなく、呼出階へとエレベータを（制御機の制御によらず）着床させることができ、エレベータの効率的な運転が可能となる。
【００４５】
また、本発明の集合住宅インターホンシステムによれば、緊急ボタンが操作されるトイレコール、バスコール等の緊急時には、他の呼出階に優先して緊急ボタンの操作により指定された呼出階、集合玄関の階または管理室の階へとエレベータを（自動的に）着床させることができ、エレベータの効率的な運転が可能となる。
【００４６】
さらに、本発明の集合住宅インターホンシステムによれば、非常ボタンが操作される住戸内にて火災、ガス漏れ等が発生した非常時には、集合玄関の階へとエレベータを（自動的に）着床させることができるばかりでなく、非常解錠ボタンを操作して集合玄関の電気錠を解錠させた後、集合玄関の階へと予め着床されているエレベータ内の操作部を用いて呼出階を指定すると、所定の呼出階へと迅速に到達でき、エレベータの効率的な運転が可能となる。
【図面の簡単な説明】
【図１】本発明の実施例による集合住宅インターホンシステムの構成を示すブロック図である。
【符号の説明】
１・・・・・集合玄関機
２・・・・・電気錠
３・・・・・非常解錠ボタン
４ａ、４ｂ、・・・  ・・・・・（複数の）居室親機
５ａ、５ｂ、・・・  ・・・・・緊急ボタン
６ａ、６ｂ、・・・  ・・・・・非常ボタン
７・・・・・管理室親機
４１・・・・・操作部
８・・・・・エレベータ
８ａ・・・・・操作部
９・・・・・エレベータ制御盤
１０・・・・・制御機
５０・・・・・制御回路（制御機制御回路）
【図１】
2004292099.tif 000003